(57)【要約】【課題】  卓球等の球技の試合においてプレイヤー又は審判員が、攻守交代のタイミングを容易に判断することができる得点カウンターカードを提供する。【解決手段】  得点カウンターカード８は、連続する数字のうち奇数８ａを１つずつ表示する複数の奇数カード８Ａと、偶数８ｂを１つずつ表示する偶数カード８Ｂとを備え、奇数カード８Ａ及び偶数カード８Ｂは、表示された数字８ａ，８ｂの書体、表示された数字８ａ，８ｂの色彩又は模様、及びカード自体（表示面８ｃ，８ｄ）の色彩又は模様のうち、少なくとも１つにおいて互いに相違するように構成されている。【選択図】  図２
2007021070.tif 000002
【特許請求の範囲】
【請求項１】
連続する数字のうち奇数を１つずつ表示する複数の奇数カードと、偶数を１つずつ表示する偶数カードとを備え、前記奇数カード及び偶数カードは、表示された数字の書体、表示された数字の色彩又は模様、及びカード自体の色彩又は模様のうち、少なくとも１つにおいて互いに相違するように構成されていることを特徴とする球技用の得点カウンターカード。
【請求項２】
任意に選択された連続する２つの数字に対応する２枚のカードの端部には、外方への延設部が互いに位置を相違させて設けられており、
前記延設部は、数字が連続する３枚のカード毎に同じ位置に設けられていることを特徴とする請求項１に記載の球技用の得点カウンターカード。
【請求項３】
任意に選択された連続する２つの数字に対応する２枚のカードの端部には、外方への延設部が互いに位置を相違させて設けられており、
前記延設部は、前記奇数カードにおいて同一箇所に設けられ、前記偶数カードにおいては前記奇数カードとは異なる同一箇所に設けられていることを特徴とする請求項１に記載の球技用の得点カウンターカード。
【請求項４】
カードの上部には、複数のカードを束ねるリングを通すための孔が設けられており、該孔は、上下に角部が位置するように配置された矩形状に形成されていることを特徴とする請求項１乃至３の何れかに記載の球技用の得点カウンターカード。
【発明の詳細な説明】
【技術分野】
【０００１】
本発明は球技用の得点カウンターカードに関し、特に、卓球の試合において容易に攻守交代のタイミングを認識することができる得点カウンターカードに関する。
【背景技術】
【０００２】
従来の卓球の試合では５本毎に攻守交代が行われており、攻守交代の時期を正確に判断することが、円滑な試合進行を実現するための重要な要素になっていた。しかしながら、近年における卓球のルール改正により２本毎に攻守交代することとなったため、攻守交代の時期を逸してしまうという事態が生じている。このようなことから、新ルールに沿った卓球の試合において、何れのプレイヤーがサーバーであるべきかを判断するためのカウンターが開示されている（特許文献１参照）。
【特許文献１】特開２００５−６２５号公報
【発明の開示】
【発明が解決しようとする課題】
【０００３】
しかしながら、上記特許文献１に開示されたカウンターの場合、両プレイヤーの獲得点数を合計する作業や、合計した点数に基づいて表を参照する作業が必要であり、必ずしも試合の円滑な進行を実現し得るものともいえない。また、特許文献１に開示されたカウンターは、攻守交代時期を逸してしまったがために、何れのプレイヤーがサーバーであるかを容易に確認できるようにすることを目的とするものであるが、本来的には攻守交代の時期を逸しないようにすることが、円滑な試合進行のための根本的な解決の道である。また、このような事情は卓球の試合のみに限られず、現在及び将来において存在する卓球と同様のルールを有する球技においても同様である。
【０００４】
そこで本発明は、球技の試合においてプレイヤー又は審判員が、攻守交代のタイミングを容易に認識することができる得点カウンターカードを提供することを目的とする。
【課題を解決するための手段】
【０００５】
本発明は上述したような事情を鑑みてなされたものであり、本発明に係る得点カウンターカードは、連続する数字のうち奇数を１つずつ表示する複数の奇数カードと、偶数を１つずつ表示する偶数カードとを備え、前記奇数カード及び偶数カードは、表示された数字の書体、表示された数字の色彩又は模様、及びカード自体の色彩又は模様のうち、少なくとも１つにおいて互いに相違するように構成されている。
【０００６】
このような構成とすることにより、奇数カードと偶数カードとは、互いに異なるものだと視覚的に容易に認識され、奇数カード同士又は偶数カード同士は、互いに同様のものだと視覚的に容易に認識される。一方、２本毎に攻守交代する球技での攻守交代のタイミングは、攻守それぞれのプレイヤーの得点が奇数同士又は偶数同士の組み合わせになっているときであり、奇数及び偶数の組み合わせになっているときは交代タイミングではない。従って、上述したような構成とすれば、得点カウンターカードを一瞥するだけで、攻守それぞれのプレイヤーの得点の組み合わせが、奇数又は偶数同士の組み合わせであるか、あるいは奇数及び偶数の組み合わせであるかを視覚的に認識でき、その結果、攻守交代のタイミングを判断することができ、これを逸するのを抑制することができる。
【０００７】
また、任意に選択された連続する２つの数字に対応する２枚のカードの端部には、外方への延設部が互いに位置を相違させて設けられていてもよい。このような構成とすることにより、複数のカードが重なった状態において、得点変動時にカードを１枚ずつ容易に捲ることができる。即ち、上述したような構成にすれば、１枚ごとに前後の数字のカードとは異なる位置に延設部が設けられているため、この延設部に指を掛けて捲ることにより、２枚同時に捲ってしまうようなことが防止される。
【０００８】
また、前記延設部は、数字が連続する３枚のカード毎に同じ位置に設けられていてもよい。このような構成とすることにより、上述したのと同様に１枚ずつ容易に捲ることができると共に、更に延設部に指を掛けやすくなっている。例えば、「０，３，６，…」の数字が表示されたカードには下部左端に延設部を設け、「１，４，７，…」の数字が表示されたカードには下部中央に延設部を設け、「２，５，８，…」の数字が表示されたカードには下部右端に延設部を設ける。このようにすると、例えば「０」の数字が表示されたカードの延設部と、「３」の数字が表示されたカードの延設部との間に、カード２枚分の厚み（即ち、「１，２」の数字が夫々表示された２枚のカードの厚み）に相当するスペースが設けられる。このように、延設部と延設部との間に所定のスペースが設けられるため、延設部に指を掛けて１枚のカードを捲りやすくなる。
【０００９】
また、前記突出部は、前記奇数カードにおいて同一箇所に設けられ、前記偶数カードにおいては前記奇数カードとは異なる同一箇所に設けられていてもよい。このような構成とすることにより、隣り合う奇数カードと偶数カードとを一緒に捲ってしまうことを防止することができ、奇数カード間、及び偶数カード間には夫々カード１枚分の厚みに相当するスペースが設けられるため、延設部に指を掛けて１枚のカードを捲りやすくなる。更に、試合中に得点を管理する審判員からすれば、直接にカードに表示された数字を確認せずとも、攻守の両プレイヤーの現在の得点が、奇数同士又は偶数同士の組み合わせになっているか、あるいは奇数及び偶数の組み合わせになっているかを判断することができる。即ち、最近捲られたカードにおいて延設部が設けられている箇所が、攻守の両プレイヤーにおいて同一であれば、現在の両プレイヤーの得点は奇数同士又は偶数同士の組み合わせになっており、攻守交代の時期であることが判断できる。また、延設部の設けられている箇所が互いに異なっていれば、奇数及び偶数の組み合わせになっているため、攻守交代の時期ではないことが判断できる。
【００１０】
また、カードの上部には、複数のカードを束ねるリングを通すための孔が設けられており、該孔は、上下に角部が位置するように配置された矩形状に形成されていてもよい。このような構成とすることにより、リングとカードの孔との接触面積を削減することができるので摩擦の減少に伴ってカードを捲り易くなり、また、孔周辺の摩耗を抑制することができる。
【００１１】
また、上述した得点カウンターカードは、卓球の得点をカウントするためのものであってもよい。卓球の試合は２本毎に攻守交代するため、上述したような構成の得点カウンターカードを用いれば、攻守交代の時期を逸するのを抑制でき、円滑な試合進行に貢献することができる。
【発明の効果】
【００１２】
本発明によれば、球技の試合においてプレイヤー又は審判員が、攻守交代のタイミングを容易に判断することができる得点カウンターカードを提供することができる。
【発明を実施するための最良の形態】
【００１３】
以下、本発明の実施の形態に係る得点カウンターカードについて、図面を参照しながら詳細に説明する。図１は、三つ折り式の卓球用カウンター１の組み立てられた状態を示す斜視図である。図１に示すように、この卓球用カウンター１は、正面視で横長の長方形状であり側面視で三角形状を成すベース部２を有し、該ベース部２は、正面側の正面板部３、背面側の背面板部４、及び底面を成す底面板部５から構成されている。そして、ベース部２の上部には、６つのリング６，６，…が略均等の間隔を空けて配設されている。
【００１４】
６つのリング６，６，…のうち、中央の２つのリング６，６は、セットカウント用のカード（以下、「セットカウントカード」という）７，７を支持するためのものであり、１つのリング６に対して１組のセットカウントカード７が支持されている。また、セットカウントカード７，７の左右に夫々２つずつ配されたリング６は、得点カウンターカード８を支持するためのものであり、左側の２つのリング６，６によって１組の得点カウンターカード８が支持され、右側の２つのリング６，６によって別の１組の得点カウンターカード８が支持されている。
【００１５】
図２は、得点カウンターカード８の構成を示す平面図であり、一例として「５，７」の数字（奇数）８ａが夫々表示された２枚の奇数カード８Ａと、「６」の数字（偶数）８ｂが表示された１枚の偶数カード８Ｂとを示している。この図２に示すように、奇数カード８Ａ及び偶数カード８Ｂは、共に縦長の長方形状になっており、その上部には左右に合計２つの孔９が設けられている。この孔９は、上下に角部が位置するように配置された矩形状（即ち、菱形）を成しており、この２つの孔９の夫々にリング６が通されて、得点カウンターカード８はベース部２に支持される（図１参照）。リング６が通される孔９が上述したような構成を有することにより、リング６と孔９との接触面積が少なくなり、摩擦抵抗が減少して得点カウンターカード８が捲りやすい。また、摩擦による孔９近傍の摩耗を抑制することもできる。
【００１６】
図２に示すように、得点カウンターカード８の正面には、比較的大きく数字が表示されている。そして、奇数カード８Ａと偶数カード８Ｂとでは、表示された数字８ａ，８ｂの書体が互いに異なっており、本実施の形態では、奇数カード８Ａには明朝体の書体で「５，７」の数字８ａが表示され、偶数カード８Ｂには太字ゴシック体の書体で「６」の数字８ｂが表示されている。なお、図２に示されていない他の奇数カード８Ａ及び偶数カード８Ｂにおいて表示されている数字８ａ，８ｂも同様の書体になっている。このように奇数８ａと偶数８ｂとで異なる書体にしているため、ベース部２に支持された左右の得点カウンターカード８を、注視することなく一瞥するだけで、両カードに表示された数字の組み合わせ（奇数８ａ同士又は偶数８ｂ同士の組み合わせ、あるいは、奇数８ａ及び偶数８ｂの組み合わせ）を容易に判別することができる。従って、卓球の試合を行っている攻守の両プレイヤーは、同じ書体の組み合わせだと判別した場合は、攻守交代の時期だと容易に判断できる。
【００１７】
また、図２に示す奇数カード８Ａと偶数カード８Ｂとでは、数字８ａ，８ｂの書体の他に、数字８ａ，８ｂの色彩も互いに異なるように成してあり、更に、数字８ａ，８ｂが表示される表示面８ｃ，８ｄの色彩も互いに異なるように成してある。例えば、奇数カード８Ａに表示された奇数８ａは緑色に彩色されている一方、偶数カード８Ｂに表示された偶数８ｂは白色に彩色されている。また、奇数カード８Ａの表示面８ｃは青色に彩色されている一方、偶数カード８Ｂの表示面８ｄは黒色に彩色されている。このようにすることにより、ベース部２に支持された左右の得点カウンターカード８を見たときに、両カードに表示された数字の組み合わせをより一層容易に判別することができる。更に、数字８ａ，８ｂの模様を互いに異なるようにし、また、表示面８ｃ，８ｄの模様を互いに異なるようにしてもよい。
【００１８】
また、本実施の形態に係る卓球用カウンター１では、その利用者が上述したような判断基準を認識して有効に試合進行を行えるよう、説明文がベース部２の正面板部３に表示されている。図３は、説明文の表示例を示すものであり、図１に示した卓球用カウンター１の部分拡大図である。図３に示すように、卓球用カウンター１の正面板部３の中央部分であって、セットカウントカード７の下方かつ左右の得点カウンターカード８に挟まれた部分には、説明文３ａ〜３ｃが表示されている。説明文３ａには「同じ書体、あるいはカード自体の色が同じになれば攻守交代」と表示され、説明文３ｂには「１セット目のサーバーは、セットカウントの表示合計が偶数時にサーブ権を有する（１セット目のレシーバーは、奇数時にサーブ権を有する）」と表示され、また、説明文３ｃには「審判員は試合開始前のプレーヤーに上記旨を伝えてください」と表示されている。
【００１９】
説明文３ａの表示を確認することにより、プレイヤー及び審判員は、既に説明したような攻守交代の時期を得点カウンターカード８の書体や色彩などに基づいて適切に判断することができる。また、卓球の場合、１セット目のサーバーは、左右のセットカウントカード７の表示合計が偶数のとき、その時点におけるセットにて最初にサーブ権を有することとなる。逆に１セット目のレシーバーは、左右のセットカウントカード７の表示合計が奇数のときに、その時点におけるセットにて最初にサーブ権を有することとなる。このことは、説明文３ｂを参照することによってプレイヤー及び審判員に認識させることができ、試合進行のより一層の円滑化に貢献することができる。また、説明文３ｃを表示しておくことにより、審判員がこの説明文３ｃの表示内容に従い、説明文３ａ，３ｂの表示内容をプレイヤーに認識させることができる。
【００２０】
図２に示すように、連続する３つの数字「５，６，７」が表示された各カード８の下部には、夫々位置を異ならせて下方へ延びる延設部８ｅが設けられている。本実施の形態では、「５」の数字が表示されたカード８には、下部右端に逆三角形状の延設部８ｅが設けられており、「６」の数字が表示されたカード８には、下部左端に逆三角形状の延設部８ｅが設けられており、更に、「７」の数字が表示されたカード８には、下部中央に逆三角形状の延設部８ｅが設けられている。なお、図２に示されていない他のカード８においても、下部左端，下部中央，下部右端，下部左端，下部中央…というように順に延設部８ｅが設けられている。
【００２１】
図４は、このような連続する数字が表示された複数のカード８が重ねられた状態を示す正面図であり、図５は、図４に示すカード８を様々の方向から見た図面であり、より具体的には、（ａ）はVa矢視方向からの側面図、（ｂ）はカード８の左右方向中央部を通るVb-Vb線で切断したときの断面図、（ｃ）はVc矢視方向からの側面図である。図４に示すように、重ねられた３枚のカード８は、互いに異なる位置に延設部８ｅが設けられている。また、図５（ａ）に示すように、例えば下部左端に延設部８ｅが設けられた前後する２枚のカード８，８に注目すると、これらに設けられた各延設部８ｅ，８ｅ間には、所定のスペース１０が形成されている。
【００２２】
同様に、図５（ｂ）に示すように、下部中央に延設部８ｅが設けられた前後する２枚のカード８，８に注目すると、これらに設けられた各延設部８ｅ，８ｅ間にスペース１０が形成されており、図５（ｃ）に示すように、下部右端に延設部８ｅが設けられた前後する２枚のカード８，８に注目すると、これらに設けられた各延設部８ｅ，８ｅ間にスペース１０が形成されている。このスペース１０は、カード８が有する厚みの２倍の距離を有している。なお図５では、構成をより理解しやすくするため、カード８の厚みを実際よりも大きく示している。
【００２３】
このような構成を備えることにより、複数のカード８が重ねられた状態から、最表面に位置する１枚のカード８を容易に捲ることができる。即ち、前後して重ねられた３枚のカード８は、互いに異なる位置に延設部８ｅが設けられているため、間違って２枚以上のカード８を一時に捲ってしまうことがない。特に、既に捲られてベース部２の背面側に位置するカード８の延設部８ｅの位置を見れば、次に捲るべきカード８の延設部８ｅの位置を知ることができるため、次に捲るべき１枚のカード８のみを、その延設部８ｅに指を掛けて捲ることができる。更に、図５に示すように延設部８ｅの背面側には所定のスペース１０が形成されているため、延設部８ｅに指を掛け易く、より一層１枚のカード８を捲りやすくなっている。
【００２４】
次に、他の構成を備える得点カウンターカード１１について、図６の平面図を参照して説明する。図６に示す得点カウンターカード１１は、延設部１１ｅの構成において図２に示す得点カウンターカード８と異なり、その他の構成は同様である。従って、ここでは得点カウンターカード１１の延設部１１ｅについて詳説し、その他の構成の説明は省略する。
【００２５】
図６に示すように、得点カウンターカード１１は奇数カード１１Ａ及び偶数カード１１Ｂを備え、夫々の下部には下方へ延びる延設部１１ｅが設けられている。奇数カード１１Ａに設けられた延設部１１ｅは、奇数カード１１Ａの下部左端から下方へ延設されており、偶数カード１１Ｂに設けられた延設部１１ｅは、偶数カード１１Ｂの下部右端から下方へ延設されている。
【００２６】
このような構成を備えることにより、試合中に卓球用カウンター１の背後にいる審判員が、攻守の両プレイヤーの得点を示す数字の組み合わせを容易に判別することができ、攻守交代の時期を判断することができる。即ち、得点カウンターカード１１の裏面に、表側にて表示中の得点を示す数字が記載されていない場合には、試合中において審判員は、得点カウンターカード１１に表示された現時点の得点を示す数字を確認しにくい。しかし、上述した得点カウンターカード１１によれば、直近に捲られてベース部２の背面側にある左右のカード１１に表示された数字の組み合わせを、延設部１１ｅの位置によって判別することができる。例えば、左右のカード１１の延設部１１ｅが、卓球用カウンター１の背後にいる審判員から見て共に左側又は右側に位置する場合、これらのカード１１は偶数同士又は奇数同士の組み合わせだと判別できる。その結果、その時点で卓球用カウンター１が表側にて表示している左右の数字の組み合わせは、奇数同士又は偶数同士であると判別でき、攻守交代の時期であると判断することができる。
【００２７】
一方、直近に捲られて背後にある左右のカード１１の延設部１１ｅが、卓球用カウンター１の背後にいる審判員から見て左側と右側とに位置する場合、これらのカード１１は偶数と奇数との組み合わせだと判別することができる。その結果、その時点で卓球用カウンター１が表側にて表示している左右の数字の組み合わせは、奇数と偶数との組み合わせであると判別でき、攻守交代の時期ではないと判断することができる。
【００２８】
なお、何れの場合であっても、攻守交代の時期を判断するに際しては、奇数同士であるか、又は偶数同士であるかを判別する必要はない。また、左右の数字が奇数及び偶数の順の組み合わせであるか、又は偶数及び奇数の順の組み合わせであるかを判別する必要もない。
【００２９】
また、セットカウントカード７についても、上述した得点カウンターカード８，１１と同様の構成としてもよい。その場合には、セットカウントカード７も、１枚ずつ捲りやすく複数枚を一時に捲ってしまうことがなくなる。また、攻守両者のセット数が奇数同士又は偶数同士の組み合わせであるか否かを容易に判別することができる。
【００３０】
次に、更に他の実施の形態に係る得点カウンターカードについて、図７を用いて説明する。図７に示すように、複数の得点カウンターカードから成るカード群２０は、図１〜５を用いて既に説明した得点カウンターカード８と同様の構成を成す「１」〜「９」の数字を表示するカード８と、これらと異なる構成を成す「１０」以上の数字を表示するカード２１とが組み合わされている。
【００３１】
「１０」以上の数字を表示するカード２１についてより具体的に説明すると、これらのカード２１は、カード８と明確に区別できる異なる色彩が施されている。例えば、本実施の形態に係るカード２１は、偶数（例えば、「１０」）を表示するカード２１Ｂにおいては数字２１ｂが白色で表示面２１ｄが赤色、奇数（例えば、「１１」）を表示するカード２１Ａにおいては数字２１ａが赤色で表示面２１ｃが白色になっている。このような構成とすることにより、以下のような効果を奏することができる。
【００３２】
即ち、卓球では一方のプレイヤーが９点以下のときに他のプレイヤーが１０点になると、セットカウントとなり、後者のプレイヤーが前者のプレイヤーに対して２点以上離して１１点目を獲得すると、後者のプレイヤーがそのセットを獲得することとなる。また、両者の獲得点数が共に１０点となった場合にはジュースとなり、以後、両者の獲得点数に２点差がつくと勝敗が決せられる。従って、上述したように１０点以上を示すカード２１の色彩を、９点以下を示すカード８と異なるようにしておくと、セットカウント又はジュースになったことが、審判員及びプレイヤーはもちろんのこと、プレイを離れて観戦する観客からも容易に判別することができる。
【００３３】
また、このようにプレイを離れて観戦する多くの観客が、セットカウント又はジュースになったことを容易に判別することができるが故に、以後、勝敗が決せられるまでの間、この観客はプレイに対して注目することとなり、より一層の緊迫感をもって観戦することになる。
【００３４】
なお、上述したような「１０」以上の数字を表示するカード２１は、既に説明したカード８の延設部８ｅと同様の延設部２１ｅを有している。また、図７に示したカード２１を用いて説明した技術的思想は、カード８に換えて図６を用いて説明したカード１１と組み合わせることも可能であることは言うまでもない。
【００３５】
更に、本実施の形態においては、シート状のカード８，１１，２１に得点を示す数字を表示した得点カウンターカードについて例示しているが、これに限られるものではない。即ち、他の例として、電球やＬＥＤ等を用いて数字を表示する電光掲示型の得点カウンターにおいても、本発明に係る技術的思想を適用することができ、同様の効果を奏することができる。この場合は、電光掲示される数字に関し、奇数と偶数とで書体，色彩，及び模様のうち少なくとも１つが互いに異なるようにすることにより、審判員，プレイヤー，及び観客等が奇数と偶数とを容易に判別できるようにすればよい。また、これに加えて数字の周囲の部分（図２に示す表示面８ｃ，８ｄに相当する部分）に関し、表示するのが奇数の場合と偶数の場合とで色彩及び／又は模様が互いに異なるようにすればよい。
【産業上の利用可能性】
【００３６】
本発明は、球技の試合においてプレイヤー又は審判員が、攻守交代のタイミングを容易に判断することができる得点カウンターカードに適用でき、特に卓球用の得点カウンターカードへの適用に好適である。
【図面の簡単な説明】
【００３７】
【図１】本発明の実施の形態に係る三つ折り式の卓球用カウンターの組み立てられた状態を示す斜視図である。
【図２】図１に示す卓球用カウンターが備える得点カウンターカードの構成を示す平面図である。
【図３】図１に示した卓球用カウンターの部分拡大図であり、ベース部の正面板部に表示された説明文を示す図面である。
【図４】連続する数字が表示された複数のカードが重ねられた状態を示す正面図である。
【図５】図４に示すカードを様々の方向から見た図面であり、（ａ）はVa矢視方向からの側面図、（ｂ）はカードの左右方向中央部を通るVb-Vb線で切断したときの断面図、（ｃ）はVc矢視方向からの側面図である。
【図６】他の構成を備える得点カウンターカードを示す平面図である。
【図７】更に他の実施の形態に係る得点カウンターカードを示す図面である。
【符号の説明】
【００３８】
１    卓球用カウンター
２    ベース部
３    正面板部
４    背面板部
５    底面板部
６    リング
７    セットカウントカード
８，１１，２１    得点カウンターカード
８Ａ，１１Ａ，２１Ａ  奇数カード
８Ｂ，１１Ｂ，２１Ｂ  偶数カード
８ａ，１１ａ，２１ａ  数字（奇数）
８ｂ，１１ｂ，２１ｂ  数字（偶数）
８ｃ，８ｄ，１１ｃ，１１ｄ，２１ｃ，２１ｄ  表示面
８ｅ，１１ｅ，２１ｅ  延設部
９    孔
１０  スペース
【図１】
2007021070.tif 000003
【図２】
2007021070.tif 000004
【図３】
2007021070.tif 000005
【図４】
2007021070.tif 000006
【図５】
2007021070.tif 000007
【図６】
2007021070.tif 000008
【図７】
2007021070.tif 000009